(57)【要約】      （修正有）【課題】さらなる低床化が可能であると共に、排水トラップからの排水の溢れを抑制することができる排水構造を提供する。【解決手段】排水構造は、洗い場と、洗い場の排水部に設けられた第２排水トラップ２２と、第２排水トラップ２２の下流側に接続された第２サイホン排水管と、を備え、第２排水トラップ２２は、洗い場からの排水が流入する防臭筒３０４と、防臭筒３０４の下部が挿入されると共に流入した排水の一部が封水として貯留される封水貯留部３１０と、封水貯留部３１０の上端を越えた排水を第２サイホン排水管に排出する排出部３１８と、排出部３１８よりも上方に設けられ、水位が排出部３１８を越えた排水を一時的に貯留可能な一時貯留部３２２と、を有している。【選択図】図２
2020029710.tif 000002
【特許請求の範囲】
【請求項１】
第１の排出部から排水が排出される第１の水廻り器具と、
第２の排出部から排水が排出される第２の水廻り器具と、
前記第１の水廻り器具の排水部に設けられた第１排水トラップと、
前記第２の水廻り器具の排水部に設けられた第２排水トラップと、
前記第１排水トラップの下流側部位と前記第２排水トラップの下流側部位とを接続する第１バイパス管と、
前記第１排水トラップ及び前記第１バイパス管の下流側に接続された第１サイホン排水管と、
前記第２排水トラップ及び前記第１バイパス管の下流側に接続された第２サイホン排水管と、
を備え、
前記第２排水トラップは、
前記第２の水廻り器具からの排水が流入する防臭筒と、
上部が開口した有底筒状に形成され前記防臭筒の下部が挿入されると共に流入した前記排水の一部が封水として貯留される封水貯留部と、
前記封水貯留部の上端を越えた前記排水を前記第２サイホン排水管に排出する排出部と、
前記封水貯留部の排水方向下流側、かつ前記第２サイホン排水管の排水方向上流側に設けられ、前記排水を一時的に貯留可能な一時貯留部と、
を有している、排水構造。
【請求項２】
前記一時貯留部は、前記排出部よりも上方に設けられ、水位が前記排出部を越えた前記排水を一時的に貯留する、請求項１に記載の排水構造。
【請求項３】
前記一時貯留部は、上面視で円形に形成されている、請求項１または請求項２に記載の排水構造。
【請求項４】
前記第１バイパス管は、管路の少なくとも一部が前記第１排水トラップ及び前記第２排水トラップの双方よりも上方に位置する、請求項１〜請求項３の何れか１項に記載の排水構造。
【請求項５】
前記第１バイパス管に吸気弁が設けられている、請求項１〜請求項４の何れか１項に記載の排水構造。
【請求項６】
前記第１バイパス管の最上部より低い位置において前記第１バイパス管における前記第１排水トラップ側と前記第２排水トラップ側とを接続し、管路の底面が前記第２排水トラップの上面よりも低く配置された第２バイパス管を有する、請求項１〜請求項５の何れか１項に記載の排水構造。
【発明の詳細な説明】
【技術分野】
【０００１】
本発明は、排水構造に関する。
【背景技術】
【０００２】
特許文献１には、浴槽や洗い場等の水廻り器具と、サイホン排水管との間に、排水の一時貯留槽が接続された排水システムが開示されている。この一時貯留槽は、スラブと床面との間の床下空間に配置されている。また、浴槽の排水管は、洗い場に設けた排水トラップに接続されており、浴槽の水は、洗い場の排水管を通じて排水されるようになっている。
【先行技術文献】
【特許文献】
【０００３】
【特許文献１】特許第４９２７４５０号公報
【発明の概要】
【発明が解決しようとする課題】
【０００４】
浴槽からの排水時、浴槽の水は溜め流し排水となるため、大量の排水が排水管に流れることとなる。サイホン排水管は、配管の径が従来の勾配配管よりも小さいため、サイホン排水管にサイホン力が発生するまで、浴槽からの排水が洗い場の排水トラップを通じて洗い場へ溢れる虞がある。このため、上記した従来例のような一時貯留槽が考案されている。
【０００５】
しかしながら、一時貯留槽の容量確保のため、一時貯留槽にはある程度の高さが必要であり、この高さに応じて床下空間を確保する必要がある。このため、一時貯留槽を設ける場合には低床化が難しかった。
【０００６】
また、洗い場の排水は、連続排水となる場合が多く、洗い場における通常の連続排水の場合には、排水トラップから排水が溢れる虞はない。
しかしながら、排水トラップに洗い場から多量の排水が一度に流入する場合、例えば、浴槽の縁まで湯を溜めて、浴槽に入った場合等に、浴槽から多量の湯が溢れて排水トラップに流入する場合があり、このような場合には、洗い場の排水トラップから排水が溢れる事がある。
【０００７】
本発明は、更なる低床化が可能であり、かつ排水トラップからの排水の溢れを抑制可能な排水構造を提供することを目的とする。
【課題を解決するための手段】
【０００８】
請求項１に記載の排水構造は、第１の排出部から排水が排出される第１の水廻り器具と、第２の排出部から排水が排出される第２の水廻り器具と、前記第１の水廻り器具の排水部に設けられた第１排水トラップと、前記第２の水廻り器具の排水部に設けられた第２排水トラップと、前記第１排水トラップの下流側部位と前記第２排水トラップの下流側部位とを接続する第１バイパス管と、前記第１排水トラップ及び前記第１バイパス管の下流側に接続された第１サイホン排水管と、前記第２排水トラップ及び前記第１バイパス管の下流側に接続された第２サイホン排水管と、を備え、前記第２排水トラップは、前記第２の水廻り器具からの排水が流入する防臭筒と、上部が開口した有底筒状に形成され前記防臭筒の下部が挿入されると共に流入した前記排水の一部が封水として貯留される封水貯留部と、前記封水貯留部の上端を越えた前記排水を前記第２サイホン排水管に排出する排出部と、前記封水貯留部の排水方向下流側、かつ前記第２サイホン排水管の排水方向上流側に設けられ、前記排水を一時的に貯留可能な一時貯留部と、を有している。
【０００９】
請求項１に記載の排水構造は、一例として、第１の水廻り器具において、排水が、貯水後に排水される溜め流し排水となり、第２の水廻り器具において、連続排水となる場合に以下の作用を奏する。
ここでいう連続排水とは、少なくとも溜め流し排水よりも単位時間当たりの排水量（流量）が小の排水のことを意味する。なお、連続排水は、溜め流し排水よりも排水時間が長い場合が多いが、溜め流し排水よりも排水時間が短い場合もある。
【００１０】
第１の水廻り器具からの排水が、貯水後に排水される溜め流し排水となる場合、第２の水廻り器具からの排水（一例として連続排水）と比較して、多量の排水が一度に排水される。第１サイホン排水管にサイホン力が発生するまで、余剰の排水は第１バイパス管に流入する。なお、第１バイパス管内の空気は、排水の流入に伴い第２排水トラップ側へ押し出される。
第１サイホン排水管にサイホン力が発生すると、第１の水廻り器具からの排水及びバイパス管に流入していた排水が、第１サイホン排水管を通じて速やかに排出される。
【００１１】
一方、第２の水廻り器具からの排水が貯水のない連続排水となる場合、管路内の空気は、第１バイパス管を通じて第１排水トラップ側へ押し出されるので、第２の水廻り器具からの排水がスムーズに行われる。第２サイホン排水管にサイホン力が発生すると、第２の水廻り器具からの排水が、第２サイホン排水管を通じて速やかに排出される。
【００１２】
ところで、第２の水廻り器具から、連続排水では無く、一時的に多量の排水が排水される場合がある。この場合、封水貯留部から溢れた排水が排出部を介して第２サイホン排水管に流入するが、第２サイホン排水管にサイホン力が発生するまでの間、排出部に流入する排水量に対して第２サイホン排水管の排水能力が追いつかず、第２排水トラップから排水が溢れる場合がある。
【００１３】
しかし、請求項１に記載の排水構造においては、第２の水廻り器具排水部に流入した排水を、封水貯留部の排水方向下流側、かつ第２サイホン排水管の排水方向上流側に設けた一時貯留部に一時的に貯留することができるので、該排水が、第２の水廻り器具の排水部から溢れること、言い換えれば、排水部より上で排水が滞留することを抑制できる。
【００１４】
請求項２に記載の発明は、請求項１に記載の排水構造において、前記一時貯留部は、前記排出部よりも上方に設けられ、水位が前記排出部を越えた前記排水を一時的に貯留する。
【００１５】
請求項２に記載の排水構造では、第２排水トラップの排出部よりも水位が上昇した排水を、排水部よりも上方に設けた一時貯留部に一時的に貯留することができ、該排水が、第２の水廻り器具の排水部から溢れることを抑制できる。
【００１６】
請求項３に記載の発明は、請求項１または請求項２に記載の排水構造において、前記一時貯留部は、上面視で円形に形成されている。
【００１７】
一時貯留部を上面視で円形に形成することで、例えば、四角等の角張った隅部がある形状に比較して、排水中の異物が溜まり難く、また、清掃も容易になる。
【００１８】
請求項４に記載の発明は、請求項１〜請求項３の何れか１項に記載の排水構造において、前記第１バイパス管は、管路の少なくとも一部が前記第１排水トラップ及び前記第２排水トラップの双方よりも上方に位置する。
【００１９】
第１バイパス管の少なくとも一部が第１排水トラップ及び第２排水トラップの双方よりも上方に位置するので、第１バイパス管に流入した排水が第２排水トラップ側に流れ難くなる。特に、第１バイパス管における管路の最上部の高さ位置が、第１の水廻り器具に貯められた水の標準的な水頭の高さ位置と同等である場合には、排水は第１バイパス管を越流し難い。
【００２０】
請求項５に記載の発明は、請求項１〜請求項４の何れか１項に記載の排水構造において、前記第１バイパス管に吸気弁が設けられている。
【００２１】
請求項５に記載の排水構造では、第１サイホン排水管にサイホン力が発生した際、第１の水廻り器具からの排水及び第１バイパス管に流入していた排水が、第１サイホン排水管を通じて速やかに排出される。この際、吸気弁から第１バイパス管に外気が取り込まれるので、第２排水トラップの封水が破られることはない。
【００２２】
同様に、第２サイホン排水管にサイホン力が発生した際、第２の水廻り器具からの排水が、第２サイホン排水管を通じて速やかに排出されるが、吸気弁から第１バイパス管に外気が取り込まれるので、第１排水トラップの封水が破られることはない。
【００２３】
請求項６に記載の発明は、請求項１〜請求項５の何れか１項に記載の排水構造において、前記第１バイパス管の最上部より低い位置において前記第１バイパス管における前記第１排水トラップ側と前記第２排水トラップ側とを接続し、管路の底面が前記第２排水トラップの上面よりも低く配置された第２バイパス管を有する。
【００２４】
第２の水廻り器具からの排水が極めて多く、一時貯留部に排水が入りきらずに満水になるような場合、余剰の排水は第２バイパス管を介して第１サイホン排水管へ排出することができる。また、第２バイパス管における管路の底面が、第２排水トラップの上面よりも低く配置されているため、第２排水トラップから排水が溢れそうな場合に第２バイパス管へ排水が流れるので、排水が第２排水トラップ２２から溢れることを抑制できる。
【発明の効果】
【００２５】
本発明の排水構造によれば、さらなる低床化が可能であると共に、第２排水トラップからの排水の溢れを抑制することができる。
【図面の簡単な説明】
【００２６】
【図１】第１実施形態に係る排水構造の概要を示す断面図である。
【図２】第１の実施形態に係る排水構造に用いる第２排水トラップの縦断面図である。
【図３】第１実施形態に係る排水経路を示す斜視図である。
【図４】第１実施形態に係る排水構造において、浴槽からの排水時の初期段階を示す断面図である。
【図５】サイホン力発生後の排水状態を示す断面図である。
【図６】第１実施形態に係る排水構造において、洗い場からの排水状態を示す断面図である。
【図７】第２実施形態に係る排水構造を模式的に示す斜視図である。
【図８】第３実施形態に係る排水構造を模式的に示す斜視図である。
【図９】第４実施形態に係る排水構造を模式的に示す斜視図である。
【図１０】参考例１に係る排水構造を模式的に示す斜視図である。
【図１１】参考例２に係る排水構造を模式的に示す斜視図である。
【図１２】第５実施形態に係る排水構造を示す断面図である。
【図１３】第６実施形態に係る排水構造を示す断面図である。
【発明を実施するための形態】
【００２７】
［第１実施形態］
以下、本発明を実施するための第１の実施形態を図面に基づき説明する。
図１に示すように、本実施形態に係る排水構造１０は、排水立て管１４と、排水経路１６とを有している。
【００２８】
排水立て管１４は、建物１５の床スラブ２４の貫通穴２５を貫通している。この排水立て管１４には、後述する竪管３１Ｂ，３２Ｂを連結する排水継手２８が設けられており、上部の排水立て管１４からの排水と、後述する浴槽１１や洗い場１２等の水廻り器具からの排水とを合流させるように構成されている。なお、図１では、管継手等、各配管の接続部分の構成が適宜省略されて示されている。
【００２９】
（排水構造）
排水経路１６は、第１の水廻り器具の一例たる浴槽１１と、第２の水廻り器具の一例たる洗い場１２と、第１排水トラップ２１と、第２排水トラップ２２と、第１バイパス管１８と、第１サイホン排水管３１と、第２サイホン排水管３２とを有している。
【００３０】
浴槽１１は、水２０を貯めて使用され、排水が、貯水後に排水される溜め流し排水となる。洗い場１２は、通常は、排水が、貯水のない連続排水となる。浴槽１１と洗い場１２は、間隙Ｓを空けて互いに隣り合っている。浴槽１１と洗い場１２とは、図示されるように互いに一体であってもよく、また互いに別体であってもよい。
【００３１】
第１排水トラップ２１及び第２排水トラップ２２は、汚臭やガス等の逆流を防止するためのいわゆる封水式トラップである。第１排水トラップ２１は、浴槽１１の第１の排水部の一例としての排水部４１に設けられている。第２排水トラップ２２は、洗い場１２の排水部の一例としての排水部４２に設けられている。
【００３２】
（第２排水トラップ）
図２にしたがって、本実施形態の第２排水トラップ２２の構造を説明する。
図２に示すように、第２排水トラップ２２は、大別して、トラップ本体３００、フランジ部材３０２、及び防臭筒３０４を含んで構成されている。
【００３３】
（トラップ本体）
トラップ本体３００は、排水の一部を封水として一定の深さに溜めるための、上端が開口した内筒３０６、及び内筒３０６の下端側の開口を閉塞する円形の底壁３０８からなる有底円筒形の封水貯留部３１０を中央部分に備えている。なお、通常時の封水の液面ＷＵＬは、内筒３０６の上端の位置と同一高さとなる。
【００３４】
内筒３０６の径方向外側には、外筒３１４が配置されており、外筒３１４と外筒３１４の下端側の開口（外筒３１４の下端と内筒３０６の下端との環状の開口）を閉塞する環状の底壁３１６とで、排出部３１８が形成されている。この排出部３１８には、封水貯留部３１０の上端（内筒３０６の上端）から溢れた排水が、外筒３１４の開口３１４Ａを介して流入する。
【００３５】
なお、本実施形態のトラップ本体３００では、外筒３１４の上端３１４Ａの高さ位置が、内筒３０６の上端３０６Ａよりも上に位置しているが、場合によっては、外筒３１４の上端３１４Ａの高さ位置が、内筒３０６の上端３０６Ａと同じ高さに位置していてもよく、外筒３１４の上端３１４Ａの高さ位置が、内筒３０６の上端３０６Ａよりも下に位置していてもよい。図２に符号３０６Ａで示す線は、外筒３１４の上端を示す仮想線である。また、外筒３１４の上端３１４Ａは、排出部３１８の上端となる。
【００３６】
外筒３１４の底壁３１６側の側部には、排出部３１８に流入した排水を排水トラップ外部に排出するための円筒形の排出口３２０が設けられている。なお、この排出口３２０には、後述する上横管部５２Ａが接続される。
【００３７】
（一時貯留部）
本実施形態の第２排水トラップ２２において、トラップ本体３００には、外筒３１４の開口３１４Ａの上方、言い換えれば外筒３１４の上端３１４Ａよりも上方に、一時貯留部３２２が設けられている。なお、一時貯留部３２２は、内筒３０６の上端３０６Ａよりも上方に位置している。また、一時貯留部３２２は、第２排水トラップ２２の上端（フランジ部材３０２の上端）よりも下方に位置している。一時貯留部３２２は、外筒３１４の上端３１４Ａから径方向外側へ延びる環状の外フランジ３２４と、外フランジ３２４の外周部から上方に立ち上がる円筒状の側壁３２６と、側壁３２６の上部に配置される上面視で円環状の蓋部材３２８とを含んで構成されている。なお、外フランジ３２４、及び側壁３２６は、外筒３１４に一体的に形成されている。
一時貯留部３２２は、上面視で円形とされ、かつ上面視で円形とされた封水貯留部３１０と同心円状に形成されており、封水貯留部３１０の内筒３０６よりも大径とされている。
【００３８】
なお、側壁３２６と蓋部材３２８とは、排水が漏れないように接着剤等で水密に接着固定されていてもよく、側壁３２６に雄螺子、蓋部材３２８の外周部に形成された筒部３２８Ｂに雌螺子を形成し、側壁３２６の雄螺子に蓋部材３２８の雌螺子を螺合させて、蓋部材３２８と側壁３２６とが分離可能に固定されていてもよい。
【００３９】
なお、外フランジ３２４は、言い換えれば、一時貯留部３２２の底壁であり、一時貯留部３２２の底壁である外フランジ３２４は、径方向内側が径方向外側よりも下方に位置するように傾斜している。
【００４０】
一時貯留部３２２は、封水貯留部３１０を構成する内筒３０６の上端３０６Ａよりも上方に設けられており、トラップ本体３００の内部において、封水貯留部３１０の内筒３０６の上端３０６Ａ、及び排出口３２０の外筒３１４の上端３１４Ａよりも排水の水位が上がったときに、該排水を一時的に貯留する機能を有している。
【００４１】
蓋部材３２８には、内周側に凸部３２８Ａが形成されており、凸部３２８Ａの内周部には雌螺子３３０が形成されている。この雌螺子３３０には、後述するフランジ部材３０２の雄螺子３３８が螺合する。
【００４２】
（フランジ部材）
フランジ部材３０２は、円筒部３３２と、円筒部３３２の上端に形成される環状の外フランジ３３４と、円筒部３３２の下端に形成される環状の内フランジ３３６とを備え、円筒部３３６の外周には、蓋部材３２８の雌螺子３３０と螺合する雄螺子３３８が形成されている。
【００４３】
このフランジ部材３０２の外フランジ３３４と、蓋部材３２８の凸部３２８Ａとの間には、洗い場１２の床１２Ａに形成された、丸孔状の排水部４２に嵌合された環状のパッキン３４２が配置されている。
【００４４】
フランジ部材３０２の雄螺子３３８を蓋部材３２８の雌螺子３３０に捩じ込み、フランジ部材３０２の外フランジ３３４と蓋部材３２８の凸部３２８Ａとで環状のパッキン３４２を挟持することで、トラップ本体３００が床１２Ａに水密に取り付けられる。
【００４５】
なお、フランジ部材３０２の上部には、メッシュ状のヘアキャッチャー３０３が着脱可能に載せられている。
【００４６】
（防臭筒）
フランジ部材３０２には、上側から防臭筒３０４が挿入されている。防臭筒３０４は、円筒形状であり、上側の一部がテーパー状に拡径されており、その上端には外フランジ３４４が形成されている。外フランジ３４４は、フランジ部材３０２と脱着自在に係合されている。なお、防臭筒３０４の外フランジ３４４とフランジ部材３０２の内フランジ３３６との間には、環状のパッキン３４６が挟持されている。
【００４７】
なお、防臭筒３０４は、下方の開口が封水貯留部３１０の内部に配置されており、防臭筒３０４の下端と封水貯留部３１０の底壁３０８との間には、排水が通過する隙間が設けられている。
【００４８】
次に、排水トラップ下流側の排水の配管経路について説明する。
図３、及び図４に示すように、第１バイパス管１８は、第１排水トラップ２１の下流側部位の一例たる排水管５１と、第２排水トラップ２２の下流側部位の一例たる排水管５２とを接続する管体である。第１バイパス管１８は、浴槽１１と洗い場１２との間の間隙Ｓに、通常使用時に使用者からは見えないように設けられている。第１バイパス管１８を間隙Ｓに設けることで、スペースを有効利用できる。なお、第１バイパス管１８を、浴室と建物の壁との間等（図示せず）、他の部位に設けてもよい。
【００４９】
第１バイパス管１８における管路の少なくとも一部、例えば最上部１８Ｈは、第１排水トラップ２１及び第２排水トラップ２２の双方よりも上方に位置している。ここで、「第１排水トラップ２１及び第２排水トラップ２２の双方よりも上方」とは、第１排水トラップ２１の上面２１Ａより上方、かつ第２排水トラップ２２の上面２２Ａより上方を意味する。第１バイパス管１８は、例えば逆Ｕ字形に形成され、第１排水トラップ２１側の縦管部１８Ａと、第２排水トラップ２２側の縦管部１８Ｂと、縦管部１８Ａ，１８Ｂの接続部１８Ｄとを有している。接続部１８Ｄは、例えば水平方向に延びている。最上部１８Ｈとは、この管路の底面であり、該底面が、第１排水トラップ２１及び第２排水トラップ２２の双方よりも上方に位置している。接続部１８Ｄにおける管路の底面の高さが一定でない場合には、最も高い位置が最上部１８Ｈとなる。なお、第１バイパス管１８の管路の少なくとも一部として、最上部１８Ｈを挙げたが、最上部１８Ｈ以外の部位が、第１排水トラップ２１及び第２排水トラップ２２の双方よりも上方に位置していてもよい。
【００５０】
排水管５１は、第１排水トラップ２１から横方向に延び第１バイパス管１８の縦管部１８Ａに合流する上横管部５１Ａと、縦管部１８Ａの下端から下方へ延びる縦管部５１Ｂと、縦管部５１Ｂの下端から横方向に延びる下横管部５１Ｃとを有している。同様に、排水管５２は、第２排水トラップ２２から横方向に延び第１バイパス管１８の縦管部１８Ｂに合流する上横管部５２Ａと、縦管部１８Ｂの下端から下方へ延びる縦管部５２Ｂと、縦管部５２Ｂの下端から横方向に延びる下横管部５２Ｃとを有している。なお、排水管５１，５２の構成はこれに限られず、第１排水トラップ２１及び第２排水トラップ２２からそれぞれ排水可能な構成であればよい。
【００５１】
第１バイパス管１８には、吸気弁３０が設けられている。この吸気弁３０は、外部からの空気を第１バイパス管１８へ通過させると共に、第１バイパス管１８から外部へ排水及び空気を通過させないための部品である。吸気弁３０は、例えば縦管部１８Ａの延長部１８Ｃの上端に設けられている。この延長部１８Ｃを含めると、第１バイパス管１８はｈ字を反転させた鏡文字の形に形成されているともいえる。第１バイパス管１８を反対側から見ると、ｈ字形となる。なお、吸気弁３０は、第１バイパス管１８における接続部１８Ｄに設けられていてもよい。また、延長部１８Ｃ及び吸気弁３０を縦管部１８Ｂの上方に設けてもよい。
【００５２】
第１バイパス管１８における管路の最上部１８Ｈの高さ位置は、浴槽１１に貯められた水２０の標準的な水頭Ｈの高さ位置と同等以上であることが望ましい。水頭Ｈの基準は、例えば、浴槽１１の底である。標準的な水頭Ｈとは、人の入浴時に浴槽１１内に貯めるお湯の量に相当し、例えば人が浴槽１１内で座ったときに浴槽１１から溢れない程度のお湯の量に相当する。最上部１８Ｈは、第１バイパス管１８における縦管部１８Ａ，１８Ｂ間で越流が生じない最大の高さであり、接続部１８Ｄの底面の高さに相当する。
【００５３】
図３に示すように、第１サイホン排水管３１は、第１排水トラップ２１及び第１バイパス管１８の下流側に接続されている。また、第２サイホン排水管３２は、第２排水トラップ２２及び第１バイパス管１８の下流側に接続されている。
【００５４】
具体的には、図４において、第１サイホン排水管３１は、排水管５１の下横管部５１Ｃの末端に接続されている。また、第１サイホン排水管３１は、排水を横方向へ流す横引き管３１Ａと、排水立て管１４に接続され横引き管３１Ａからの排水を下方へ流す竪管３１Ｂとを有している。また、第２サイホン排水管３２は、排水を横方向へ流す横引き管３２Ａと、排水立て管１４に接続され横引き管３２Ａからの排水を下方へ流す竪管３２Ｂとを有している。竪管３１Ｂ，３２Ｂの下端は、排水継手２８に接続されている。なお、図３において、第１サイホン排水管３１は、第２サイホン排水管３２の奥側に並列に配置されている。
【００５５】
（作用）
本実施形態は、上記のように構成されており、以下その作用について説明する。図４において、本実施形態に係る排水経路１６では、浴槽１１からの排水は、貯水後に排水される溜め流し排水となるため、洗い場１２からの排水と比較して、多くの排水が一度に排水される。浴槽１１からの排水は、第１排水トラップ２１を通って排水管５１の上横管部５１Ａ、縦管部５１Ｂ、下横管部５１Ｃを通じて、第１サイホン排水管３１へ流れて行く（矢印Ａ方向）。第１サイホン排水管３１においてサイホン力が発生するまで、余剰の排水は第１バイパス管１８に流入する（矢印Ｂ方向）。第１バイパス管１８内の空気は、排水の流入に伴い第２排水トラップ２２側へ押し出される（矢印Ｃ方向）。
【００５６】
第１バイパス管１８は逆Ｕ字形に形成されており、管路の最上部１８Ｈが第１排水トラップ２１及び第２排水トラップ２２の双方よりも上方に位置するので、第１バイパス管１８に流入した排水は第２排水トラップ２２側には流れ難い。特に、第１バイパス管１８における管路の最上部１８Ｈの高さ位置が、浴槽１１に貯められた水の標準的な水頭Ｈの高さ位置と同等である場合には、縦管部１８Ａから縦管部１８Ｂへの越流は生じ難い。なお、第２排水トラップ２２の封水が破られない程度の越流は、生じてもよい。
【００５７】
図５において、第１サイホン排水管３１にサイホン力が発生すると、浴槽１１からの排水及び第１バイパス管１８に流入していた排水が、第１サイホン排水管３１を通じて速やかに排出され（矢印Ａ方向）、浴槽１１の水位が低下して行く（矢印Ｄ方向）。このとき、吸気弁３０から第１バイパス管１８に外気が取り込まれるので（矢印Ｅ方向）、第２排水トラップ２２側に負圧が作用することが抑制される。このため、第２排水トラップ２２の封水が破られることはない。
【００５８】
このように、排水経路１６によれば、従来のような一時貯留槽を用いなくても、浴槽１１からの溜め流し排水が洗い場１２へ溢れることを抑制できる。
【００５９】
一方、図６において、洗い場１２からの排水は、貯水のない連続排水となる。洗い場１２からの排水は、第２排水トラップ２２を通って排水管５２の上横管部５２Ａ、縦管部５２Ｂ、下横管部５２Ｃを通じて、第２サイホン排水管３２へ流れて行く（矢印Ｆ方向）。第１バイパス管１８における管路内の空気は、第１バイパス管１８を通じて第１排水トラップ２１側へ押し出されるので（矢印Ｇ方向）、洗い場１２からの排水がスムーズに行われる。連続排水の場合には水頭が殆どないため、第１バイパス管１８の縦管部１８Ｂに排水が流入しない。第２サイホン排水管３２にサイホン力が発生すると、洗い場１２からの排水が、第２サイホン排水管３２を通じて速やかに排出される（矢印Ａ方向）。このとき、洗い場１２のみからの排水であれば、第１バイパス管１８に負圧が生じることは殆どないが、浴槽１１との同時排水時など、第１バイパス管１８に負圧が生じた場合には、吸気弁３０を外気が取り込まれるので、第１排水トラップ２１及び第２排水トラップ２２の封水が破られることはない。
【００６０】
図１において、本実施形態に係る排水構造１０では、第１サイホン排水管３１が有する横引き管３１Ａ及び竪管３１Ｂを通じて、浴槽１１からの排水を排水立て管１４へ流すことができる。また、この排水構造１０では、第２サイホン排水管３２が有する横引き管３２Ａ及び竪管３２Ｂを通じて、洗い場１２からの排水を排水立て管１４へ流すことができる。
【００６１】
通常は、洗い場１２からの排水は、貯水のない連続排水となるが、場合によっては、多量の排水が流される場合がある（一例として、浴槽１１から一度に湯が溢れた場合等）。
連続排水に比較して、多量の排水が第２排水トラップ２２に流入した際、第２サイホン排水管３２にサイホン力が発生するまでの間、第２排水トラップ２２に流入する排水に対して、第２サイホン排水管３２の排水能力が追いつかない場合、排出部３１８に流入した排水の水位が上昇し、排水の液面が、封水貯留部３１０の上端（内筒３０６の上端３０６Ａ）、排出部３１８の上端（外筒３１４の上端３１８Ａ）よりも上方へ上昇するが、排出部３１８の上側には、一時貯留部３２２が設けられているので、排出部３１８から溢れた排水を一時貯留部３２２に貯留することができ、排出部３１８から溢れた排水が洗い場１２の床１２Ａ上に溢れ出すこと、言い換えれば、開口部３４０の上側の床１２Ａに排水が滞留することを抑制できる。
なお、一時貯留部３２２は、床１２Ａに排水が滞留しないように、径、高さ等を調整し、その容積を確保することが好ましい。
このように、第２排水トラップ２２に多量の排水が流された際に、トラップ内の水位が上昇し一時貯留部３２２内においても水位が上昇することがあるが、一時貯留部３２２の内部上部に空気が溜まるような場合には、溜まった空気の容量分だけ一時貯留部３２２に貯留される排水の容量が減少することになる。このため、一時貯留部３２２の内部上部に空気が溜まるような場合には、図２に示すように、一時貯留部３２２の上部に空気抜きの通気管９６を接続し、一時貯留部３２２の内部の空気を排出することが好ましい。なお、通気管９６の空気排出方向下流側の端部は、該端部から排水が漏れでない様に床１２Ａよりも上方に配置する。通気管９６の空気排出方向下流側の端部は、一例として、第１バイパス管１８（好ましくは、延長部１８Ｃ）に接続することができる。
【００６２】
なお、第２サイホン排水管３２にサイホン力が生じると、排出部３１８の排水が迅速に排水されるので、排水の水位が下がり、最終的には、排出部３１８の内部の排水が全て排出される。
【００６３】
一時貯留部３２２の底壁、即ち、外フランジ３２４は、径方向内側が径方向外側よりも下方に位置するように傾斜しているため、排水の水位が下がるにつれて、一時貯留部３２２の内部の排水は、傾斜した外フランジ３２４に沿って排出部３１８へ流れ、一時貯留部３２２の内部に排水が滞留することは無い。
【００６４】
また、一時貯留部３２２は、上面視で円形に形成しているので、例えば、四角等の角張った隅部がある形状に比較して、排水中の異物が溜まり難く、また、清掃も容易になる。
なお、一時貯留部３２２は、上面視で円形としたが、楕円形等、円形以外の形状としてもよい。また、本実施形態の一時貯留部３２２は、トラップ本体３００と一体化しているが、トラップ本体３００と別体としてもよく、別体とした一時貯留部３２２とトラップ本体３００とを配管で連結してもよい。
【００６５】
さらに、本実施形態に係る排水経路１６及び排水構造１０によれば、床下に従来のような一時貯留槽が不要となるので、溜め流し排水が行われる浴槽１１等の設置場所の更なる低床化が可能となる。
【００６６】
［第２実施形態］
図７において、本実施形態に係る排水経路２６は、第１排水トラップ２１の下流側部位及び第２排水トラップ２２の下流側部位の少なくとも一方、例えば双方に、補助チャンバ７１，７２を有している。補助チャンバ７１は、第１排水トラップ２１の下流側部位に設けられている。補助チャンバ７２は、第２排水トラップ２２の下流側部位に設けられている。
【００６７】
補助チャンバ７１，７２は、例えば排水管５１，５２にそれぞれ設けられた大径部（内径拡大部）である。補助チャンバ７１，７２の高さ寸法は、従来の一時貯留槽よりも小さく設定されており、第１排水トラップ２１、第２排水トラップ２２及び排水管５１，５２の配置に必要な空間内に配置可能な大きさとされる。したがって、補助チャンバ７１，７２の設置のために床下空間を余分に必要とすることはない。
【００６８】
図示の例では、補助チャンバ７１，７２は何れも第１バイパス管１８の上流側に配置されているが、補助チャンバ７１，７２の何れか一方又は双方が、第１バイパス管１８の下流側に配置されていてもよい。
【００６９】
この排水経路２６では、補助チャンバ７１，７２により、第１バイパス管１８の容量を超えた余剰の排水を受け入れることができる。浴槽１１（図１）から汲み上げた水を洗い場１２（図１）で使用した場合、通常時よりも大量の水が洗い場１２から排出される。このような場合でも、補助チャンバ７１，７２で排水を受け入れることで、洗い場１２からの排水が滞ることを抑制できる。また、浴槽１１からの、より大量の溜め流し排水に対応することができる。
【００７０】
他の部分については、第１実施形態と同様であるので、同一の部分には図面に同一の符号を付し、説明を省略する。
【００７１】
［第３実施形態］
図８において、本実施形態に係る排水経路３６では、第１バイパス管１８に、吸気弁３０（図３）の代わりとなる通気管７４が接続されている。通気管７４は、例えば建物の屋外まで延び、末端７４Ａが大気に開放されている。
【００７２】
この排水経路３６では、吸気弁３０（図３）の代わりに通気管７４が設けられているので、吸気弁３０の配置スペースが不要となる。
【００７３】
第１サイホン排水管３１にサイホン力が発生した際、通気管７４から第１バイパス管１８に外気が取り込まれるので、第２排水トラップ２２の封水が破られることはない。第２サイホン排水管３２にサイホン力が発生した際にも、通気管７４から第１バイパス管１８に外気が取り込まれるので、第１排水トラップ２１の封水が破られることはない。
【００７４】
他の部分については、第１実施形態と同様であるので、同一の部分には図面に同一の符号を付し、説明を省略する。
【００７５】
［第４実施形態］
図９において、本実施形態に係る排水経路４６は、他の排水トラップ８３，８４と、サイホン排水管９３，９４と、個別通気管１０３，１０４と、ヘッダ８０と、合流通気管９０とを有している。
【００７６】
他の排水トラップ８３は、他の水廻り器具の一例たる洗濯機の排水部（図示せず）に対して設けられる。他の排水トラップ８４は、他の水廻り器具の一例たる洗面台に対して設けられる。他の排水トラップ８３，８４は、汚臭やガス等の逆流を防止するためのいわゆる封水式トラップである。
【００７７】
他の排水トラップ８３の下流側には、排水管１１３が接続されている。サイホン排水管９３は、排水管１１３の下流側に接続されている。また、他の排水トラップ８４の下流側には、排水管１１４が接続されている。サイホン排水管９４は、排水管１１４の下流側に接続されている。
【００７８】
個別通気管１０３は、一端が他の排水トラップ８３の下流側部位（排水管１１３）に接続されている。また、個別通気管１０４は、一端が他の排水トラップ８４の下流側部位（排水管１１４）に接続されている。個別通気管１０３，１０４の他端は、それぞれヘッダ８０に接続されている。
【００７９】
ヘッダ８０は、通気管７４及び個別通気管１０３，１０４が接続された管継手である。合流通気管９０は、ヘッダ８０に接続されると共に、大気に開放されている。具体的には、合流通気管９０は、例えば建物の屋外まで延び、末端９０Ａが大気に開放されている。
【００８０】
この排水経路４６では、吸気弁３０（図３）の代わりに通気管７４及び個別通気管１０３，１０４が設けられているので、吸気弁３０の配置スペースが不要となる。また、通気管７４及び個別通気管１０３，１０４をヘッダ８０に集合させ、合流通気管９０を通じて大気に開放する構成としている。したがって、通気管７４や個別通気管１０３，１０４をそれぞれ屋外まで延ばす必要がない。これにより、一括で吸排気ができると共に、通気管７４や個別通気管１０３，１０４を個々に大気に開放して配置する場合と比較して、部品点数を減らすことができる。
【００８１】
他の部分については、第１実施形態と同様であるので、同一の部分には図面に同一の符号を付し、説明を省略する。
【００８２】
［参考例１］
図１０において、本参考例に係る排水構造５６では、第１排水トラップ２１から延びる排水管５１の下流側に、第１サイホン排水管３１が接続されている。また、第２排水トラップ２２から延びる排水管５２の下流側に、第２サイホン排水管３２が接続されている。つまり、第１排水トラップ２１からの排水経路と、第２排水トラップ２２からの排水経路とが、互いに独立している。
【００８３】
したがって、第１排水トラップ２１からの溜め流し排水が行われても、その排水が第２排水トラップ２２側へ流入することはない。このため、浴槽１１からの溜め流し排水が洗い場１２へ溢れることを抑制できる（図１）。
【００８４】
他の部分については、第１実施形態と同様であるので、同一の部分には図面に同一の符号を付し、説明を省略する。
【００８５】
［参考例２］
図１１において、本参考例に係る排水構造６６は、参考例１において、吸気弁１１１，１１２が更に設けられている。排水管５１には、上方に延びる分岐管１２１が接続されている。吸気弁１１１は、該分岐管１２１の上端に設けられている。また、排水管５２には、上方に延びる分岐管１２２が接続されている。また、吸気弁１１２は、該分岐管１２２の上端に設けられている。吸気弁１１１，１１２の構成は、第１実施形態の吸気弁３０と同様である。
【００８６】
本参考例では、参考例１と同様に、第１排水トラップ２１からの溜め流し排水が行われても、その排水が第２排水トラップ２２側へ流入することはない。このため、浴槽１１からの溜め流し排水が洗い場１２へ溢れることを抑制できる（図１）。
【００８７】
排水管５１に吸気弁１１１が追加されているので、第１排水トラップ２１からの排水時には、吸気弁１１１から外気が取り込まれる。また、排水管５２に吸気弁１１２が追加されているので、第２排水トラップ２２からの排水時には、吸気弁１１２から外気が取り込まれる。したがって、第１排水トラップ２１から排水、及び第２排水トラップ２２からの排水が、何れも流れ易くなる。
【００８８】
他の部分については、第１実施形態又は参考例１と同様であるので、同一の部分には図面に同一の符号を付し、説明を省略する。
【００８９】
［第５実施形態］
図１２において、本実施形態に係る排水構造７６は、第２バイパス管２１８を有している。この第２バイパス管２１８は、第１バイパス管１８の最上部より低い位置において第１バイパス管１８における第１排水トラップ２１側と第２排水トラップ２２側とを接続している。第２バイパス管２１８における管路の底面は、第２排水トラップ２２の上面２２Ｈよりも低く配置されている。また、第２バイパス管２１８における管路の底面は、排水管５２の上横管部５２Ａの底面５２Ｄよりも高く配置されている。
【００９０】
第２バイパス管２１８は、例えば横方向に延びている。なお、第２バイパス管２１８は、水平方向に対して傾斜したり、湾曲していたりしてもよい。このように、第２バイパス管２１８における管路の底面の高さが一定でない場合には、底面のうち最も高い位置が、第２排水トラップ２２の上面２２Ｈよりも低く、上横管部５２Ａの底面５２Ｄよりも高く配置されている。
【００９１】
第１バイパス管１８における例えば接続部１８Ｄには、第１逆止弁１９が設けられている。第１逆止弁１９は、第２排水トラップ２２側から第１排水トラップ２１側への流れを許容し、その反対側の流れを許容しないように構成されている。なお、第１逆止弁１９の位置は接続部１８Ｄに限られず、例えば縦管部１８Ｂに設けられていてもよい。また、第１逆止弁１９は、第１排水トラップ２１側から第２排水トラップ２２側への流れをある程度許容する構成であってもよい。
【００９２】
第２バイパス管２１８には、第２逆止弁２１９が設けられている。第２逆止弁２１９は、第２排水トラップ２２側から第１排水トラップ２１側への流れを許容し、その反対側の流れを許容しないように構成されている。なお、第２逆止弁２１９は、第１排水トラップ２１側から第２排水トラップ２２側への流れをある程度許容する構成であってもよい。
【００９３】
洗い場１２からの排水が第２排水トラップ２２に入りきらずに満水になるような場合でも、本実施形態によれば、余剰の排水は第２バイパス管２１８を通って排水管５１の縦管部５１Ｂ、下横管部５１Ｃを通じて、第１サイホン排水管３１（図１）へ流れて行く（矢印Ｈ方向）。本実施形態では、第２バイパス管２１８における管路の底面が、排水管５２の上横管部５２Ａの底面５２Ｄよりも高く配置されている。したがって、洗い場１２からの排水が常に第２バイパス管２１８へ流れることはなく、第２サイホン排水管３２が速やかに満流になるので、サイホン起動が遅くなることはない。
【００９４】
また、本実施形態では、第２バイパス管２１８における管路の底面が、第２排水トラップ２２の上面２２Ｈよりも低く配置されている。したがって、第２排水トラップ２２から排水が溢れそうな場合に第２バイパス管２１８へ排水が流れるので、排水が第２排水トラップ２２から溢れることを抑制できる。
【００９５】
更に、第２バイパス管２１８に第２逆止弁２１９が設けられているので、第２バイパス管２１８を通じた第１排水トラップ２１側から第２排水トラップ２２側への流れが抑制される。また、第１バイパス管１８の接続部１８Ｄに第１逆止弁１９が設けられているので、浴槽１１からの排水時に、第１バイパス管１８を通じた第１排水トラップ２１側から第２排水トラップ２２側への流れ、つまり縦管部１８Ａから縦管部１８Ｂへの越流がより一層生じ難くなる。
【００９６】
他の部分については、第１実施形態と同様であるので、同一の部分には図面に同一の符号を付し、説明を省略する。
【００９７】
［第６実施形態］
図１３において、本実施形態に係る排水構造８６は、第５実施形態における第１バイパス管１８の第１逆止弁１９を省略した構成とされている。第１バイパス管１８では、第１実施形態で述べたように、最上部１８Ｈの高さの設定を適切に行うことにより、第１バイパス管１８における縦管部１８Ａ，１８Ｂ間で越流が生じないようにできる。したがって、本実施形態のように第１逆止弁１９を省略することで、構成を簡素化し、低コスト化が可能となる。
【００９８】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００９９】
第１の水廻り器具の一例として浴槽１１を挙げたが、第１の水廻り器具は、洗濯機等、排水が溜め流しとなる器具であってもよい。また、第２の水廻り器具の一例として洗い場１２を挙げたが、第２の水廻り器具は、洗面台、台所、食洗機等、排水が連続排水となる器具であってもよい。
【０１００】
第１バイパス管１８が接続される第１排水トラップ２１の下流側部位の一例として、排水管５１を挙げたが、下流側部位はこれに限られない。同様に、第１バイパス管１８が接続される第２排水トラップ２２の下流側部位の一例として、排水管５２を挙げたが、下流側部位はこれに限られない。例えば、第１バイパス管１８を第１排水トラップ２１及び第２排水トラップ２２の少なくとも一方に直接接続してもよい。
【０１０１】
第１バイパス管１８に吸気弁３０が設けられるものとしたが、第１排水トラップ２１や第２排水トラップ２２の封水が破られることがなければ、吸気弁３０を省略してもよい。
【０１０２】
上記実施形態では、一時貯留部３２２が第２排水トラップ２２に一体的に設けられていたが、本発明はこれに限らず、一時貯留部３２２は第２排水トラップ２２と別体に設けられていてもよい。一時貯留部３２２は、封水貯留部３１０の排水方向下流側、かつ第２サイホン排水管３２の排水方向上流側に設けられていればよく、一例として、図４に示す上横管部５２Ａ、縦管部５２Ｂ、下横管部５２Ｃ等に設けることができる。
上横管部５２Ａ、縦管部５２Ｂ、及び下横管部５２Ｃに一時貯留部３２２を設ける場合、一時貯留部３２２の形状は特に問わない。上横管部５２Ａ、縦管部５２Ｂ、及び下横管部５２Ｃに設ける一時貯留部３２２の容積は、排水が洗い場１２の床１２Ａ上に溢れ出ないように決めればよい。
【符号の説明】
【０１０３】
１０…排水構造、１１…浴槽（第１の水廻り器具）、１２…洗い場（第２の水廻り器具）、１８…第１バイパス管、２１…第１排水トラップ、２２…第２排水トラップ、３０…吸気弁、３１…第１サイホン排水管、３２…第２サイホン排水管、４１…排水部（第１の排水部）、２１８…第２バイパス管、３０４…防臭筒、３１０…封水貯留部、３１４…開口（流入口）、３１８…排出部、３２２…一時貯留部、３４０…開口部（排水部）
【図１】
2020029710.tif 000003
【図２】
2020029710.tif 000004
【図３】
2020029710.tif 000005
【図４】
2020029710.tif 000006
【図５】
2020029710.tif 000007
【図６】
2020029710.tif 000008
【図７】
2020029710.tif 000009
【図８】
2020029710.tif 000010
【図９】
2020029710.tif 000011
【図１０】
2020029710.tif 000012
【図１１】
2020029710.tif 000013
【図１２】
2020029710.tif 000014
【図１３】
2020029710.tif 000015